(57)【要約】【課題】  長期間又は長時間にわたって着物を着用する場合にも、着物着用初心者が簡単かつ快適に着用できる着物を提供する。【解決手段】  着物２０は、第１紐通し１１〜第３紐通し１３を備える。  第１紐通し１１は、着物２０の下端２６Ｄからおはしょり３０の位置から定まる第１所定長ｄ１だけ上部の背中心２６Ｃ上に設けられている。  第２紐通し１２は、右基準位置ＰＲと第１紐通し１１の中心点ＰＣとを結んだ第１線分Ｌ１上、かつ、右後身頃２２Ｒに、第１線分Ｌ１に直交するように設けられている。  第３紐通し１３は、左基準位置ＰＬと第１紐通し１１の中心点ＰＣとを結んだ第２線分Ｌ２上、かつ、左衽２３Ｌ又は左前身頃２２Ｌに、第２線分Ｌ２に直交するように設けられている。【選択図】図１
2016003421.tif 000002
【特許請求の範囲】
【請求項１】
着物の下端からおはしょりの位置から定まる第１所定長だけ上部の背中心上に設けられた第１紐通しと、
右褄先から前記第１所定長よりも右衽を吊り上げる長さである第２所定長だけ短い長さだけ上方の位置である右基準位置と当該第１紐通しの中心点とを結んだ第１線分上、かつ、右後身頃に、当該第１線分に直交するように設けられた第２紐通しと、
左褄先から前記第１所定長よりも左衽を吊り上げる長さである第３所定長だけ短い長さだけ上方の位置である左基準位置と当該第１紐通しの中心点とを結んだ第２線分上、かつ、左衽又は左前身頃に、当該第２線分に直交するように設けられた第３紐通しとを備えることを特徴とする着物。
【請求項２】
着物に取り付けられる着物取付用衣料であって、
前記着物取付用衣料が前記着物に取り付けられた状態において当該着物の下端からおはしょりの位置から定まる第１所定長だけ上部の背中心上に位置する第１紐通しと、
前記着物取付用衣料が前記着物に取り付けられた状態において、前記着物の右褄先から前記第１所定長よりも右衽を吊り上げる長さである第２所定長だけ短い長さだけ上方の位置である右基準位置と当該第１紐通しの中心点とを結んだ第１線分上、かつ、前記着物の右後身頃に位置し、当該第１線分に直交するように形作られる第２紐通しと、
前記着物取付用衣料が前記着物に取り付けられた状態において、前記着物の左褄先から前記第１所定長よりも左衽を吊り上げる長さである第３所定長だけ短い長さだけ上方の位置である左基準位置と当該第１紐通しの中心点とを結んだ第２線分上、かつ、前記着物の左衽又は左前身頃に位置し、当該第２線分に直交するように形作られる第３紐通しとを備えることを特徴とする着物取付用衣料。
【請求項３】
請求項２記載の着物取付用衣料において、
前記着物取付用衣料は、前記着物と同一素材、かつ、前記着物よりも厚手に構成されていることを特徴とする着物取付用衣料。
【発明の詳細な説明】
【技術分野】
【０００１】
本発明は、着物及び着物取付用衣料に関する。
【背景技術】
【０００２】
従来、女性向けの着物の場合、着物の形を整えるために、着付けの際に上半身の所定位置におはしょりを作ることがよくおこなわれている。着物の形を美しく見せるためには、おはしょりの下端と着物の下端位置である裾線とを略平行に形作ることが好ましい。しかしながら、このおはしょりの下端と裾線とを略平行に形作る着付けは、着物着用初心者には難しい。このような着物の着付けを容易にするために、様々な着物が提案されている（たとえば、特許文献１参照）。
【０００３】
特許文献１では、成人女性用着物の上半身の所定の位置に、表生地の身頃の素縫いの段階ではしょり部を予め設け、このはしょり部と身頃との間に形成される袋状の部分にベルトを収納した着物が提案されている。
【０００４】
特許文献１の着物によれば、着付け初心者であっても、着物を着る際に、はしょり部と身頃との間に形成される袋状の部分に収納されたベルトを締めることにより、はしょり部により形成されるおはしょりと裾線とを略平行に形作りながら、洋服のロングコートを着る感覚で簡単に着物を着付けることができる。
【０００５】
また、着付けの際、見た目をよくするために、着物の左右の前身頃を吊り上げながら着る着付け方法が知られている。この点について、特許文献１の着物では、たとえば、左側の裏側と左前身頃の衿先と右前身頃の衿先と右脇の表側のおはしょり上部とにそれぞれマジックテープ（登録商標）を設けている。着物着用者は、着用時に、左前身頃の裏側のマジックテープと右前身頃の衿先のマジックテープとを互いに接着させ、かつ、左前身頃の衿先のマジックテープと右脇の表側のおはしょり上部のマジックテープとを互いに接着させることにより、着物の左右の前身頃を吊り上げながら、着物を着用することができる。
【先行技術文献】
【特許文献】
【０００６】
【特許文献１】特開２０１０−１８９３４号公報
【発明の概要】
【発明が解決しようとする課題】
【０００７】
しかしながら、従来の技術では、長期間又は長時間にわたって着物を着用する上で多くの問題があり、着物着用者の快適性の観点から向上の余地がある。
【０００８】
たとえば、特許文献１の着物では、はしょり部を予め素縫いの段階で設ける必要があるので、洗濯の際に、はしょり部と身頃との間に設けられる袋状の部分が十分に洗いにくく、汚れがたまりやすいという問題がある。
【０００９】
また、着物の譲渡等により、着用者の身長が変わった場合には、おはしょりを作る位置の変更が必要となることがある。このような場合、特許文献１の着物では、ベルトを通すために、右脇に縫い残し穴を設ける必要があるため、おはしょりの位置を変更しなければならない場合には、おはしょり部だけでなく、着物の右脇の縫い残し穴を含めて縫い直さなければならず、面倒である。
【００１０】
加えて、特許文献１の着物では、左右の前身頃を吊り上げるためにマジックテープを所定の箇所に設けているが、着物着用時に着物着用者が動くと、当該マジックテープの接着がずれることにより、左右の前身頃の吊上げ状態が解除されてしまうおそれがある。
【００１１】
そこで、これらの課題に鑑みて、本発明は、長期間又は長時間にわたって着物を着用する場合にも、着物着用初心者が簡単かつ快適に着用できる着物及び当該着物への取付用衣料を提供することを目的とする。
【課題を解決するための手段】
【００１２】
本発明の着物は、
着物の下端からおはしょりの位置から定まる第１所定長だけ上部の背中心上に設けられた第１紐通しと、
右褄先から前記第１所定長よりも右衽を吊り上げる長さである第２所定長だけ短い長さだけ上方の位置である右基準位置と当該第１紐通しの中心点とを結んだ第１線分上、かつ、右後身頃に、当該第１線分に直交するように設けられた第２紐通しと、
左褄先から前記第１所定長よりも左衽を吊り上げる長さである第３所定長だけ短い長さだけ上方の位置である左基準位置と当該第１紐通しの中心点とを結んだ第２線分上、かつ、左衽又は左前身頃に、当該第２線分に直交するように設けられた第３紐通しとを備えることを特徴とする。
【００１３】
当該構成の着物によれば、右褄先から第１所定長よりも右衽を吊り上げるための第２所定長だけ短い長さだけ上方の位置である右基準位置と第１紐通しの中心点とを結ぶ第１線分上に、第２紐通しが第１線分に直交するように設けられている。このため、右衽を第２所定長だけ上げた際に、第１紐通しと第２紐通しとに通された紐と第２紐通しとが裾線と略平行となる。
【００１４】
また、左褄先から第１所定長よりも左衽を吊り上げるための第３所定長だけ短い長さだけ上方の位置である左基準位置と第１紐通しの中心点とを結ぶ第２線分上に、第３紐通しが、第２線分に直交するように設けられている。このため、左衽を第３所定長だけ上げた際に、第１紐通しと第３紐通しとに通された紐と第３紐通しとが裾線と略平行となる。
【００１５】
この結果、着用者は、第１紐通し〜第３紐通しに通された紐と第２紐通しと第３紐通しとが裾線と略平行となっているか否かを確認することにより、容易に着用者の意図通りに着用できているか否かを確認できる。着用者は、当該紐と平行となるようにおはしょりを作成することにより、おはしょりと裾線とを略平行に作成することができる。
【００１６】
他方、当該構成の着物においては、はしょり部を素縫いの際に設ける必要がないため、洗濯の際にはしょり部に汚れがたまることもない。また、着物の譲渡等によっておはしょりの位置を直す場合であっても、第１紐通し〜第３紐通しの位置を変更するだけで済み、着物の脇線の縫い直し等の着物自体を裁縫するための手間が不要となる。また、着物の着用時においては、紐通しに通された紐によって左右の衽の吊上げ状態が確保されるので、着用者が多少動いても、左右の衽の吊上げ状態が解除されているおそれもない。
【００１７】
以上の通り、着物着用初心者が長期間又は長時間にわたって着物を着用する場合でも、当該構成の着物を簡単かつ快適に着用できる。
【００１８】
本発明の着物取付用衣料は、
着物に取り付けられる着物取付用衣料であって、
前記着物取付用衣料が前記着物に取り付けられた状態において当該着物の下端からおはしょりの位置から定まる第１所定長だけ上部の背中心上に位置する第１紐通しと、
前記着物取付用衣料が前記着物に取り付けられた状態において、前記着物の右褄先から前記第１所定長よりも右衽を吊り上げる長さである第２所定長だけ短い長さだけ上方の位置である右基準位置と当該第１紐通しの中心点とを結んだ第１線分上、かつ、前記着物の右後身頃に位置し、当該第１線分に直交するように形作られる第２紐通しと、
前記着物取付用衣料が前記着物に取り付けられた状態において、前記着物の左褄先から前記第１所定長よりも左衽を吊り上げる長さである第３所定長だけ短い長さだけ上方の位置である左基準位置と当該第１紐通しの中心点とを結んだ第２線分上、かつ、前記着物の左衽又は左前身頃に位置し、当該第２線分に直交するように形作られる第３紐通しとを備えることを特徴とする。
【００１９】
当該構成の着物取付用衣料によれば、着物取付用衣料を着物に取り付けることによって、本実施形態の着物と同様の作用効果が生じる。加えて、着用者は、着付けの際に、着物取付用衣料を裾線と略平行に整え、当該着物取付用衣料を基準にしておはしょりを作成することにより、おはしょりの下端を裾線と略平行に作成しながら、簡単に着物を着用することができる。
【００２０】
本発明の着物取付用衣料において、
前記着物取付用衣料は、前記着物と同一素材、かつ、前記着物よりも厚手に構成されていることが好ましい。
【００２１】
当該構成の着物取付用衣料によれば、着物取付用衣料が着物よりも厚手に構成されているので、着付けの際に、着物取付用衣料がしわになりくくなる。この結果、着用者は、着物取付用衣料のしわ取りの手間が省けるので、より簡単に着物を着用することができる。また、着物取付用衣料の素材が、取り付けられる着物と同一素材で構成されることにより、着物と着物取付用衣料との間の帯電状況に差が出にくくなるため、静電気の発生が防止されうる。
【図面の簡単な説明】
【００２２】
【図１】本実施形態の着物取付用衣料と着物との構成を説明する図で、（ａ）は着物取付用衣料の構成を説明する図、（ｂ）は、（ａ）の着物取付用衣料が取り付けられた着物の構成を説明する図。
【図２】本実施形態の着物を着る方法を説明する図で、（ａ）は着物を羽織った状態の背面図、（ｂ）は裾線と第１紐通しの位置の調節時の左側面図、（ｃ）は衿先持ち変え時の左側面図、（ｄ）は右衿先を左脇下に移動させたときの正面図、（ｅ）は左衿先を右脇下に移動させたときの正面図、（ｆ）は紐を持った時の正面図、（ｇ）は紐を一周させるときの正面図、（ｈ）は紐を縛る時の正面図、（ｉ）はおはしょりを整えるときの正面図、（ｊ）は帯を締め終わった後の正面図。
【発明を実施するための形態】
【００２３】
図１（ａ）及び（ｂ）を参照して、本実施形態の着物取付用衣料１０及び着物２０の構成を説明する。
【００２４】
（着物取付用衣料の構成）
図１（ａ）に示されるように、着物取付用衣料１０は、への字となるように帯状の右取付用衣料１０Ｒと、右取付用衣料１０Ｒの左端の裏側に、自身の右端の表側が連結されている帯状の左取付用衣料１０Ｌを有する。右取付用衣料１０Ｒと左取付用衣料１０Ｌとは右取付用衣料１０Ｒが表側となるように上部が連結されているので、当該連結部の下部には、切れ目１０Ｃが存在する。右取付用衣料１０Ｒと左取付用衣料１０Ｌは、着物２０と同一の素材（たとえば絹）かつ着物２０よりも厚手に構成され、かつ、右取付用衣料１０Ｒと左取付用衣料１０Ｌの縦の長さ及び横の長さがほぼ同一となるように構成されている。取付用衣料１０Ｒ，１０Ｌの素材は、着物２０と同一の素材に代えて、布、皮革、合成繊維、紙又はゴム等により構成されてもよい。
【００２５】
右取付用衣料１０Ｒ及び左取付用衣料１０Ｌは、たとえば、伊達帯などから作成されうる。
【００２６】
右取付用衣料１０Ｒは、その左端の表側に、紐通し布の上辺と下辺とが右取付用衣料１０Ｒに縫い込まれることにより紐通し可能なように構成された第１紐通し１１と、第１紐通し１１の右斜め下に紐通し布の上辺と下辺とが右取付用衣料１０Ｒに縫い込まれることにより紐通し可能なように構成された第２紐通し１２とを備える。
【００２７】
なお、紐通し布は、右取付用衣料１０Ｒと同一の素材で構成された、右取付用衣料１０Ｒよりも小さな長方形の布である。
【００２８】
第２紐通し１２の上辺及び下辺は、それぞれ右取付用衣料１０Ｒの上辺及び下辺と平行となるように構成されている。
【００２９】
左取付用衣料１０Ｌは、その左端の表側に紐通し布の上辺と下辺とが左取付用衣料１０Ｌに縫い込まれることにより紐通し可能なように構成された第３紐通し１３と、第３紐通し１３の右斜め上に紐通し布の上辺と下辺とが左取付用衣料１０Ｌに縫い込まれることにより紐通し可能なように構成された第４紐通し１４とを備える。
【００３０】
第３紐通し１３及び第４紐通し１４の上辺及び下辺は、それぞれ左取付用衣料１０Ｌの上辺及び下辺と平行となるように構成されている。
【００３１】
また、上辺と下辺の縫込みに代えて、たとえばマジックテープ（登録商標）、雌雄一対のスナップ及びホック、ボタン及びボタン穴、又はクリップ等の留め具等の取付手段によって紐通し布が右取付用衣料１０Ｒ、又は左取付用衣料１０Ｌに取り付けられることにより、第１紐通し１１〜第４紐通し１４が形成されてもよい。
【００３２】
また、各紐通し１１〜１４は、それぞれ上辺と下辺との中間が縫込み糸で区切られることにより形成された上部１１ａ〜１４ａと下部１１ｂ〜１４ｂとを備える。
【００３３】
縫込み糸での区切りに代えて、たとえばマジックテープ（登録商標）、雌雄一対のスナップ及びホック、ボタン及びボタン穴、又はクリップ等の留め具等の区切手段によって第１紐通し１１〜第４紐通し１４が区切られることにより、上部１１ａ〜１４ａと下部１１ｂ〜１４ｂとが形成されてもよい。
【００３４】
（着物の構成）
図１（ｂ）を参照して、着物取付用衣料１０が着物２０に取り付けられた場合の構成について説明する。
【００３５】
着物２０は、着用者Ｈの背中を覆う右後身頃２１Ｒ，左後身頃２１Ｌと、着用者Ｈの前方を覆う右前身頃２２Ｒ、右衽２３Ｒ、左前身頃２２Ｌ、左衽２３Ｌと、右後身頃２１Ｒ、左後身頃２１Ｌの上部から右衽２３Ｒ、左衽２３Ｌの上半身部分まで延在する衿２４と、右後身頃２１Ｒ、及び右前身頃２２Ｒに連結される右袖２５Ｒ、左後身頃２１Ｌ、及び左前身頃２２Ｌに連結される左袖２５Ｌとを備える。
【００３６】
右後身頃２１Ｒと左後身頃２１Ｌとは、背中心２６Ｃにおいて左右対称となるように縫い合わせられることにより連結される。右後身頃２１Ｒ及び左後身頃２１Ｌの縦の長さである身丈Ｍは、着用者Ｈの首までの高さよりもやや大きい長さである。このため、着用者Ｈが単に着物２０を羽織った状態では、着物２０の下部が床に着くようになっている。
【００３７】
また、右後身頃２１Ｒと右前身頃２２Ｒと右袖２５Ｒとは、上端において右後身頃２１Ｒと右前身頃２２Ｒと右袖２５Ｒとが縫い合わせられることにより連結されるとともに、その下方において、着用者Ｈの右腕を通せる程度の内部の穴ができるように、右袖２５Ｒの後側が右後身頃２１Ｒと縫合され、右袖２５Ｒの前側が右前身頃２２Ｒと縫合されている。当該穴の下方においては、右後身頃２１Ｒと右前身頃２２Ｒと右袖２５Ｒとが縫い合わせられることにより連結され、さらに下方においては、右脇線２６Ｒにおいて、右後身頃２１Ｒと右前身頃２２Ｒとが縫い合わせられることにより連結されている。
【００３８】
また、左後身頃２１Ｌと左前身頃２２Ｌと左袖２５Ｌとは、上端において左後身頃２１Ｌと左前身頃２２Ｌと左袖２５Ｌとが縫い合わせられることにより連結されるとともに、その下方において、着用者Ｈの左腕を通せる程度の内部の穴ができるように、左袖２５Ｌの後側が左後身頃２１Ｌと縫合され、左袖２５Ｌの前側が左前身頃２２Ｌと縫合されている。当該穴の下方においては、左後身頃２１Ｌと左前身頃２２Ｌと左袖２５Ｌとが縫い合わせられることにより連結され、さらに下方においては、左脇線２６Ｌにおいて、左後身頃２１Ｌと左前身頃２２Ｌとが縫い合わせられることにより連結されている。
【００３９】
右袖２５Ｒ及び左袖２５Ｌは、それぞれ着用者Ｈの手ＨＲ、ＨＬを外部に露出できるようにその先端部に穴が設けられている。
【００４０】
着物取付用衣料１０は、着物２０の横方向に延在するように、着物取付用衣料１０の上辺が糸で着物２０の表側に縫いつけられることにより、着物２０に取り付けられる。着物取付用衣料１０は、糸で着物２０に縫いつけられることに代えて、たとえばマジックテープ（登録商標）、雌雄一対のスナップ及びホック、ボタン及びボタン穴、又はクリップ等の留め具等の取付手段により、着物２０に取り付けれてもよい。
【００４１】
着物取付用衣料１０が着物２０に取り付けられた状態において、第１紐通し１１の中心点ＰＣは、背中心２６Ｃ上であって、着物の下端２７Ｄから、第１所定長ｄ１だけ上方となる位置に位置している。
【００４２】
第１所定長ｄ１は、図２（ｊ）に示されるように、着用者Ｈが着物２０を着用した状態において、おはしょり３０の縦方向の中央位置３０Ｃから裾線２０Ｄまでの長さである。なお、おはしょり３０の位置は、着用者Ｈの身長によって変わるものである。このため、第１所定長ｄ１も着用者Ｈの身長から求めることができる。たとえば着用者Ｈの身長が１６０ｃｍである場合、第１所定長ｄ１は、９０ｃｍである。
【００４３】
着物取付用衣料１０が着物２０に取り付けられた状態において、第２紐通し１２は、第１紐通し１１の中心点ＰＣと右基準位置ＰＲとを結んだ第１線分Ｌ１上であって、右後身頃２１Ｒ上に、第１線分Ｌ１に直交するように設けられている。
【００４４】
右基準位置ＰＲは、右衽２３Ｒの右下にある右褄先２７Ｒの上方の位置である。右褄先２７Ｒから右基準位置ＰＲまでの長さは、第１所定長ｄ１から、右衽２３Ｒを吊り上げる長さである第２所定長ｄ２を引いた長さである。第２所定長ｄ２は、着物を着る流儀により定められる長さであり、たとえば１４ｃｍである。
【００４５】
着物取付用衣料１０が着物２０に取り付けられた状態において、第３紐通し１３は、第１紐通し１１の中心点ＰＣと左基準位置ＰＬとを結んだ第２線分Ｌ２上であって、左衽２３Ｌ上に、第２線分Ｌ２に直交するように設けられている。左衽２３Ｌ上に代えて、左前身頃２２Ｌ又は左衽２３Ｌ及び左前身頃２２Ｌとの境界上に設けられてもよい。
【００４６】
左基準位置ＰＬは、左衽２３Ｌの左下にある左褄先２７Ｌの上方の位置である。左褄先２７Ｌから左基準位置ＰＬまでの長さは、第１所定長ｄ１から、左衽２３Ｌを吊り上げる長さである第３所定長ｄ３を引いた長さである。第３所定長ｄ３は、着物を着る流儀により定められる長さであり、たとえば７ｃｍである。
【００４７】
着物取付用衣料１０が着物２０に取り付けられた状態において、第４紐通し１４は、第２線分Ｌ２上であって、左後身頃２１Ｌ上に設けられている。
【００４８】
第２紐通し１２と右脇線２６Ｒとの長さは、第４紐通し１４と左脇線２６Ｌとの長さよりも大きくなるように構成されている。
【００４９】
（着物の着方）
図２（ａ）〜（ｊ）を参照して、着用者Ｈが着物取付用衣料１０が取り付けられた着物２０を着用する方法を説明する。
【００５０】
図２（ａ）に示されるように、着用者Ｈは、まず、着物取付用衣料１０の第１紐通し１１〜第４紐通し１４の上部１１ａ〜１４ａのそれぞれに紐１５を通した状態で着物２０を羽織る。上部１１ａ〜１４ａと下部１１ｂ〜１４ｂとは、それぞれ上辺と下辺との中間の縫込み糸により区切られているので、紐１５が上部１１ａ〜１４ａから下部１１ｂ〜１４ｂへ移動すること及び紐１５が下部１１ｂ〜１４ｂから上部１１ａ〜１４ａへ移動することが防止される。
【００５１】
次に、着用者Ｈは、図２（ｂ）に示されるように、左手ＨＬで第１紐通し１１を持ち、右手ＨＲで左右の衿先２４Ｒ及び２４Ｌを合わせた状態で持つ。この状態で、裾線２０Ｄが床と水平となりつつ、やや床から離れる程度（１〜２ｃｍ程度）になるまで、着物２０を上方に擦り上げる。最終的に、着用者Ｈは、第１紐通し１１を裾線２０Ｄから第１所定長ｄ１だけ上方である着用者Ｈの腰椎付近に位置させる。
【００５２】
次に、着用者Ｈは、図２（ｃ）に示されるように、左右の衿先２４Ｒ、２４Ｌを右手ＨＲで保持したまま、右手ＨＲを前方に突き出す。この状態で、着用者Ｈは、左手ＨＬを右手ＨＲに添え、右手ＨＲで右衿先２４Ｒを持ち、左手ＨＬで左衿先２４Ｌを持つ。
【００５３】
次に、着用者Ｈは、図２（ｄ）に示されるように、左衿先２４Ｌを持ったまま、左手ＨＬを左方に開き、そののちに右衿先２４Ｒを持った右手ＨＲを、左の脇下まで移動させる。この時、着用者Ｈは、右衽２３Ｒが、裾線２０Ｄから第２所定長ｄ２だけ上方に浮くように、右手ＨＲを上方に移動させる。そして、着用者Ｈは、右衿先２４Ｒを左の肘で固定したのち、右手ＨＲを右衿先２４Ｒから離す。
【００５４】
次に、着用者Ｈは、図２（ｅ）に示されるように、右衿先２４Ｒを左の肘で固定しながら、左衿先２４Ｌを保持した左手ＨＬを右の脇下まで移動させる。この時、着用者Ｈは、左衽２３Ｌが裾線２０Ｄから第３所定長ｄ３だけ上方に浮くように、左手ＨＬを上方に移動させる。
【００５５】
この状態で、着用者Ｈは、図２（ｆ）に示されるように、右手ＨＲで、右後身頃２１Ｒにある右紐先１５Ｒを持ち、その後右の肘で左衿先２４Ｌを固定する。この状態で、着用者Ｈは、左手ＨＬを左衿先２４Ｌから離し、左衽２３Ｌ付近に存在する左紐先１５Ｌを持つ。
【００５６】
着用者Ｈは、図２（ｇ）に示されるように、右の脇下付近で右紐先１５Ｒと左紐先１５Ｌとを縛った後、右紐先１５Ｒを、すでに胴にまかれている紐１５の上をたどるように、一周させる。この時、着用者Ｈは、着物取付用衣料１０の取り付け状態及び紐通し１３，１４の形状を視認し、及び胴にまかれている紐１５を触ることにより、着物取付用衣料１０が裾線２０Ｄと略平行となっていることを確認する。
【００５７】
着用者Ｈは、図２（ｈ）に示されるように、一周させた右紐先１５Ｒを、すでにまかれている紐１５にまきつけることにより、右紐先１５Ｒを固定させる。
【００５８】
そして、着用者Ｈは、図２（ｉ）に示されるように、右手ＨＲ、左手ＨＬを袖２５Ｒ、２５Ｌから抜いて、着物２０の内部で、着物２０の上部で余った部分を着物取付用衣料１０の上部で折り返すことにより、おはしょり３０を作成する。この時、着用者Ｈは、おはしょり３０の上部３０Ｕを着物取付用衣料１０の上部と一致させる。このようにすることにより、着物取付用衣料１０は裾線２０Ｄと略平行になっているので、おはしょりの下端３０Ｄが裾線２０Ｄと略平行となる。
【００５９】
着用者Ｈは、着物２０の内部で右衿先２４Ｒ（の上部）を左にひき、左衿先２４Ｌを右にひくことにより、着物２０の衿部分を整える。この状態で、着用者Ｈは、図２（ｊ）に示されるように、帯３１を着用する。
【００６０】
以上の方法により、着用者Ｈは、着物取付用衣料１０が取り付けられた着物２０を着用することができる。
【００６１】
（本実施形態の作用効果）
当該構成の着物２０によれば、右褄先２７Ｒから第１所定長ｄ１よりも右衽２３Ｒを吊り上げるための第２所定長ｄ２だけ短い長さだけ上方の位置である右基準位置ＰＲと第１紐通し１１の中心点ＰＣとを結ぶ第１線分Ｌ１上に、第２紐通し１２が、第１線分Ｌ１に直交するように設けられている。このため、右衽２３Ｒを第２所定長ｄ２だけ上げた際に、第１紐通し１１と第２紐通し１２とに通された紐１５と第２紐通し１２とが裾線２０Ｄと略平行となる。
【００６２】
また、左褄先２７Ｌから第１所定長ｄ１よりも左衽２３Ｌを吊り上げるための第３所定長ｄ３だけ短い長さだけ上方の位置である左基準位置ＰＬと第１紐通し１１の中心点ＰＣとを結ぶ第２線分Ｌ２上に、第３紐通し１３が、第２線分Ｌ２に直交するように設けられている。このため、左衽２３Ｌを第３所定長ｄ３だけ上げた際に、第１紐通し１１と第３紐通し１３とに通された紐１５と第３紐通し１３とが裾線２０Ｄと略平行となる。
【００６３】
この結果、着用者Ｈは、第１紐通し１１〜第３紐通し１３に通された紐１５と第２紐通し１２と第３紐通し１３とが裾線２０Ｄと略平行となっているか否かを確認することにより、容易に着用者Ｈの意図通りに着用できているか否かを確認できる。着用者Ｈは、この紐１５を基準にしておはしょり３０を作成することにより、おはしょり３０の下端３０Ｄと裾線２０Ｄとを略平行に作成することができる。
【００６４】
他方、当該構成の着物２０においては、はしょり部を素縫いの際に設ける必要がないため、洗濯の際にはしょり部に汚れがたまることもない。また、着物２０の譲渡等によっておはしょり３０の位置を直す場合であっても、第１紐通し１１〜第３紐通し１３の位置を変更するだけで済み、着物２０の脇線の縫い直し等の着物２０自体を裁縫するための手間が不要となる。また、着物２０の着用時においては、紐通し１１〜１３に通された紐１５によって左右の衽２３Ｌ、２３Ｒの吊上げ状態が確保されるので、着用者Ｈが多少動いても、左右の衽２３Ｌ、２３Ｒの吊上げ状態が解除されているおそれもない。
【００６５】
以上の通り、着物着用初心者が長期間又は長時間にわたって着物を着用する場合でも、当該構成の着物２０を簡単かつ快適に着用できる。
【００６６】
また、着用者Ｈは、着付けの際に、着物取付用衣料１０を裾線２０Ｄと略平行に整え、着物取付用衣料１０を基準にしておはしょり３０を作成することにより、おはしょり３０の下端３０Ｄを裾線２０Ｄと略平行に作成しながら、簡単に着物２０を着用することができる。
【００６７】
当該構成の着物取付用衣料１０によれば、着物取付用衣料１０が着物２０よりも厚手の布で作成されているので、着付けの際に、着物取付用衣料１０がしわになりくくなる。この結果、着用者Ｈは、着物取付用衣料１０のしわ取りの手間が省けるので、より簡単に着物を着用することができる。また、着物取付用衣料１０の素材が、取り付けられる着物２０と同一素材で構成されることにより、着物２０と着物取付用衣料１０との間の帯電状況に差が出にくくなるため、静電気の発生が防止されうる。
【００６８】
また、着物２０を着る場合、洋服の場合と異なり、図２（ａ）〜（ｊ）に示されるように、左前身頃２２Ｌ及び左衽２３Ｌを右前身頃２２Ｒ及び２３Ｒの上側に重ねて着る（左前にする）ことが多い。このため、普段洋服を着ている着用者Ｈの場合、どちらの前身頃及び衽を前にすべきか間違えてしまうそれもある。
【００６９】
この点に着目して構成された当該構成の着物取付用衣料１０によれば、右側の紐通しである第２紐通し１２が背中側（右後身頃２１Ｒ）についている一方、左側の紐通しである第３紐通し１３及び第４紐通し１４は、前側（左衽２３Ｌ及び左脇線２６Ｌ付近）についている。このため、着用者Ｈは、紐通し１２，１３、１４の位置を確認することにより、どちらの前身頃を前にすべきかを確認することができる。
【００７０】
また、本実施形態では、第１紐通し１１〜第４紐通し１４の上部１１ａ〜１４ａに紐１５が通されているので、図２（ｊ）に示されるように、足首が見えない程度の位置に裾線２０Ｄが位置している。これに代えて、第１紐通し１１〜第４紐通し１４の下部１１ｂ〜１４ｂに紐１５を通した上で本実施形態の着用を行うことにより、おはしょりの量が調整され、裾線２０Ｄの位置が上方に移動し、たとえば足首が見える程度の位置に裾線２０Ｄが位置することになる。このように、第１紐通し１１〜第４紐通し１４のそれぞれに、上部１１ａ〜１４ａ及び下部１１ｂ〜１４ｂの紐通し部が設けられているので、おはしょりの量が微調整され、着用者Ｈの好みに合わせた着付けが可能となる。
【００７１】
（変形態様）
本実施形態では、第１紐通し１１〜第４紐通し１４が取り付けられた着物取付用衣料１０を着物２０に取り付けたが、これに代えて、第１紐通し１１〜第４紐通し１４を着物２０に直接取り付けてもよい。
【００７２】
本実施形態では、第１紐通し１１〜第４紐通し１４の４つの紐通しが設けられたが、これに代えて、第１紐通し１１〜第３紐通し１３の３つの紐通しが設けられてもよいし、５つ以上の紐通しが設けられてもよい。
【００７３】
本実施形態では、第１紐通し１１〜第４紐通し１４は、紐通し布の上辺及び下辺が着物取付用衣料１０に縫いこまれることにより取り付けられたが、これ代えて、１本又は複数の糸を着物取付用衣料１０に縫い込み、紐が通る程度の大きさの穴を形成することによって、第１紐通し１１〜第４紐通し１４を形成してもよい。
【００７４】
本実施形態では、第１紐通し１１〜第４紐通し１４のそれぞれに、上部１１ａ〜１４ａ及び下部１１ｂ〜１４ｂの紐通し部が設けられたが、これに代えて、第１紐通し１１〜第４紐通し１４のそれぞれに、３つ以上の紐通し部が設けられてもよい。これにより、着物２０が譲渡された等の事由により着用者Ｈの身長が変わった場合でも、紐１５を通す紐通し部を変更することにより、着物取付用衣料１０の取付位置を変更せずとも、着物２０を着用することが出来る。
【００７５】
本実施形態では、左衽２３Ｌの中間部に第３紐通し１３が設けられたが、これに代えてまたは加えて、左衽２３Ｌの端部である上前端２７Ｕに重なるように紐通しが設けられてもよい。図２（ｆ）において上前端２７Ｕに重なるように紐通しが設けられていると、左衿先２４Ｌの表側において、左衿先２４Ｌのまくれ等の着物２０の着くずれを防止しながら紐１５を結ぶことが出来る。
【符号の説明】
【００７６】
１１‥第１紐通し、１２‥第２紐通し、１３‥第３紐通し、２０‥着物、２１Ｒ‥右後身頃、２２Ｒ‥右前身頃、２２Ｌ‥左前身頃、２３Ｒ‥右衽、２３Ｌ‥左衽、２６Ｃ‥背中心、２７Ｒ‥右褄先、２７Ｌ‥左褄先、、３０・・おはしょり、ｄ１‥第１所定長、ｄ２‥第２所定長、ｄ３‥第３所定長、ＰＲ‥右基準位置、ＰＣ‥第１紐通しの中心点、ＰＬ‥左基準位置、Ｌ１‥第１線分、Ｌ２‥第２線分。
【図１】
2016003421.tif 000003
【図２】
2016003421.tif 000004